【手続補正書】
【提出日】平成26年8月21日(2014.8.21)
【手続補正１】
【補正対象書類名】特許請求の範囲
【補正対象項目名】全文
【補正方法】変更
【補正の内容】
【特許請求の範囲】
【請求項１】
アクティブスタイラスを使用して、容量性タッチセンサに対する前記アクティブスタイラスの２次元位置の決定を可能にする方法であって、前記容量性タッチセンサが、行として配列された導線の第１の配列と、列として配列された導線の第２の配列として構成された導線の２次元マトリックスを有し、前記アクティブスタイラスが、電極および能動構成要素を有し、当該方法が、
前記マトリックス中の前記列のうちの少なくとも１つから、前記アクティブスタイラスで第１の信号を受信するステップと、
前記列から受信したそれぞれの第１の信号の信号強度を測定するステップと、
前記測定した信号強度を使用して、前記容量性タッチセンサの前記マトリックスの第１の軸に沿った前記アクティブスタイラスの第１の位置を計算するステップであって、前記アクティブスタイラスが、前記受信した第１の信号に基づいて前記マトリックスの第１の軸に沿った前記第１の位置を求めるように構成される、ステップと、
第２の位置を送信することなく、前記容量性タッチセンサの前記マトリックスの前記第１の軸に沿った前記アクティブスタイラスの前記計算した第１の位置を送信するステップと、
前記アクティブスタイラスの前記電極から前記マトリックスの前記行のうちの少なくとも１つに第２の信号を送信し、前記マトリックスの第２の軸に沿った前記アクティブスタイラスの前記第２の位置を示すステップであって、前記容量性タッチセンサが、受信した第２の信号に基づいて、前記マトリックスの前記第２の軸に沿った前記第２の位置を求めるように構成され、前記容量性タッチセンサが、前記送信された第１の位置および前記求めた第２の位置を処理して、前記アクティブスタイラスの２次元位置を求める、ステップと
を含み、
前記電極が前記アクティブスタイラス内に配置され、前記容量性タッチセンサと静電結合するように構成され、
前記アクティブスタイラスの前記電極が、信号の受信と送信をどちらも行うように構成されることを特徴とする、方法。
【請求項２】
前記アクティブスタイラスで前記第１の信号を受信する前、または前記第２の信号を送信する前に、前記容量性タッチセンサから前記アクティブスタイラスで第３の信号を受信し、前記アクティブスタイラスのタイムベースを前記容量性タッチセンサのタイムベースと同期するステップをさらに含むことを特徴とする、請求項１に記載の方法。
【請求項３】
同期用の前記第３の信号が、通信チャネルを通じて前記アクティブスタイラスで受信されることを特徴とする、請求項２に記載の方法。
【請求項４】
前記通信チャネルが、ワイヤレス通信チャネル、超音波チャネル、または光チャネルを含むことを特徴とする、請求項３に記載の方法。
【請求項５】
前記通信チャネルが、前記アクティブスタイラスまたは前記容量性タッチセンサの少なくとも一方に関する情報を受信または送信するように構成されることを特徴とする、請求項２に記載の方法。
【請求項６】
前記第３の信号が、前記導線の第２の配列中の列の内の少なくとも１つから受信され、前記第３の信号が、少なくとも前記１つの列の前記電極を通じて、前記アクティブスタイラスで受信されることを特徴とする、請求項２に記載の方法。
【請求項７】
前記第３の信号が、前記導線の第２の配列中の複数の列上で同時に送信されるパルスから受信されることを特徴とする、請求項６に記載の方法。
【請求項８】
前記第３の信号が、タイムフレーム当たり１度受信されることを特徴とする、請求項２に記載の方法。
【請求項９】
前記タイムフレームが、前記第３の信号を前記スタイラスで受信するために割り振られたタイムスロットを含むことを特徴とする、請求項８に記載の方法。
【請求項１０】
前記タイムフレームが、前記列のそれぞれが前記容量性タッチセンサからの前記第１の信号を送信するために割り振られたタイムスロットを含むことを特徴とする、請求項８に記載の方法。
【請求項１１】
前記タイムフレームが、前記アクティブスタイラスからの前記計算した第１の位置を送信するために割り振られたタイムスロットを含むことを特徴とする、請求項８に記載の方法。
【請求項１２】
前記タイムフレームが、複数のアクティブスタイラスのそれぞれがそれぞれの第１の位置を送信するために割り振られたタイムスロットを含むことを特徴とする、請求項８に記載の方法。
【請求項１３】
前記アクティブスタイラスからの前記計算した第１の位置の前記送信が、通信チャネルを介して行われるように構成されることを特徴とする、請求項１に記載の方法。
【請求項１４】
前記通信チャネルが、ワイヤレスチャネル、超音波チャネル、または光チャネルを含むことを特徴とする、請求項１３に記載の方法。
【請求項１５】
前記アクティブスタイラスからの前記計算した第１の位置の前記送信が、前記マトリックスに対する前記アクティブスタイラスの前記電極の静電結合を通じて行われるように構成され、前記行のうちの少なくとも１つが、前記アクティブスタイラスの前記電極から、前記計算した第１の位置を受信するように構成されることを特徴とする、請求項１に記載の方法。
【請求項１６】
前記アクティブスタイラスの前記送信が、複数の直交波形を利用して、他のアクティブスタイラスまたは列の複数の送信と同時に行われるように構成されることを特徴とする、請求項１に記載の方法。
【請求項１７】
前記アクティブスタイラスの前記送信が、同時の複数の周波数分割信号を利用して、他のアクティブスタイラスまたは列の複数の送信と共に行われるように構成されることを特徴とする、請求項１に記載の方法。
【請求項１８】
前記アクティブスタイラスの前記送信が、同時の複数の符号分割信号を利用して、他のアクティブスタイラスまたは列の複数の送信と共に行われるように構成されることを特徴とする、請求項１に記載の方法。
【請求項１９】
前記アクティブスタイラスの前記第１の位置および第２の位置を計算するために補間するステップをさらに含むことを特徴とする、請求項１に記載の方法。
【請求項２０】
請求項１に記載の方法において、前記アクティブスタイラスが、
比較的高い電圧および比較的低い電流を多重化するように構成される、前記電極に結合されたスイッチであって、送信モードで前記電極に対して電圧を送り、受信モードで前記電極から電流を受けるように構成される、スイッチと、
前記スイッチに結合され、前記電極から前記スイッチを通じて前記電流の少なくとも一部を受ける、前記電流についての受信機回路と、
前記スイッチに結合され、前記電極に対して前記スイッチを通じて前記電圧の少なくとも一部を送る、前記電圧についての送信機回路と、
前記受信機回路および前記送信機回路に結合されたマイクロコントローラと、
少なくとも前記マイクロコントローラに電力を供給する内部電源と
を備えることを特徴とする、方法。
【請求項２１】
前記マイクロコントローラが、
前記容量性タッチセンサ上の場所に対する前記アクティブスタイラスの座標位置を計算し、
前記アクティブスタイラスから前記座標位置の少なくとも一部をレポートする
ように構成されることを特徴とする、請求項２０に記載の方法。
【請求項２２】
前記マイクロコントローラがさらに、前記アクティブスタイラスの前記座標位置を計算するために補間するように構成されることを特徴とする、請求項２１に記載の方法。
【請求項２３】
前記アクティブスタイラスは通信チャネルをさらに備え、前記通信チャネルは、ワイヤレスチャネル、超音波チャネル、または光チャネルを含むことを特徴とする、請求項２０に記載の方法。
【請求項２４】
前記内部電源は電池またはスーパーキャパシタを含むことを特徴とする、請求項２０に記載の方法。
【請求項２５】
前記電流が１マイクロアンペアのオーダーであり、前記電圧が１００ボルトのオーダーであることを特徴とする、請求項２０に記載の方法。
【請求項２６】
前記アクティブスタイラスが、前記容量性タッチセンサの前記マトリックスと対話するように構成される先端を有し、前記スタイラスの前記先端が、前記スタイラスを通じて力の測定値を供給する力覚センサを含むことを特徴とする、請求項１に記載の方法。
【請求項２７】
容量性タッチセンサを使用して、前記容量性タッチセンサに対するアクティブスタイラスの２次元位置の決定を可能にする方法であって、前記容量性タッチセンサが、行として配列された導線の第１の配列と、列として配列された導線の第２の配列として構成された導線の２次元マトリックスを有し、前記アクティブスタイラスが、電極および能動構成要素を有し、当該方法が、
前記マトリックス中の前記列のうちの少なくとも１つから前記アクティブスタイラスに第１の信号を送信し、前記容量性タッチセンサの前記マトリックスの第１の軸に沿った前記アクティブスタイラスの第１の位置を示すステップであって、前記アクティブスタイラスが、前記送信した第１の信号に基づいて前記マトリックスの第１の軸に沿った前記第１の位置を求めるように構成され、前記アクティブスタイラスが、前記求めた第１の位置を前記容量性タッチセンサまで通信により戻すように構成される、ステップと、
前記マトリックスの前記行のうちの１つまたは複数で前記アクティブスタイラスの前記電極から第２の信号を受信し、前記マトリックスの第２の軸に沿った前記アクティブスタイラスの第２の位置を示すステップであって、前記容量性タッチセンサが、前記受信した第２の信号に基づいて、前記マトリックスの前記第２の軸に沿った前記第２の位置を求めるように構成され、前記容量性タッチセンサが更に、前記通信した第１の位置および前記求めた第２の位置を処理して、前記アクティブスタイラスの２次元位置を求めるように構成される、ステップと
を含み、
前記容量性タッチセンサが、前記アクティブスタイラス内に配置された前記電極と静電結合するように構成されることを特徴とする方法。
【請求項２８】
前記第１の信号を送信する前、または前記第２の信号を受信する前に、前記容量性タッチセンサから前記アクティブスタイラスに第３の信号を送信し、前記アクティブスタイラスのタイムベースを前記容量性タッチセンサのタイムベースと同期するステップをさらに含むことを特徴とする、請求項２７に記載の方法。
【請求項２９】
前記第３の信号が、前記電極を通じて、前記導線の第２の配列中の少なくとも１つの列から前記アクティブスタイラスに送信されることを特徴とする、請求項２８に記載の方法。
【請求項３０】
前記第３の信号が、前記導線の第２の配列中の複数の列から同時に送信されるパルスと共に送信されることを特徴とする、請求項２８に記載の方法。
【請求項３１】
前記第３の信号が、タイムフレーム当たり１度送信されることを特徴とする、請求項３０に記載の方法。
【請求項３２】
前記タイムフレームが、前記スタイラスに前記第３の信号を送信するために割り振られたタイムスロットを含むことを特徴とする、請求項３１に記載の方法。
【請求項３３】
前記タイムフレームが、前記列のそれぞれが前記容量性タッチセンサから前記第１の信号を送信するために割り振られたタイムスロットを含むことを特徴とする、請求項３１に記載の方法。
【請求項３４】
前記タイムフレームが、複数のアクティブスタイラスのそれぞれが、前記第２の軸に沿ったそのスタイラスの位置を求めるのに使用される第２の信号を送信するために割り振られたタイムスロットを含むことを特徴とする、請求項３１に記載の方法。
【請求項３５】
請求項２７に記載の方法であって、更に、前記容量性タッチセンサの前記マトリックスの前記第１の軸に沿った前記アクティブスタイラスの計算した第１の位置を受信するステップを含み、前記アクティブスタイラスからの前記計算した第１の位置の前記受信が、前記マトリックスに対する前記アクティブスタイラスの前記電極の静電結合を通じて行われるように構成され、前記行のうちの少なくとも１つが、前記計算した第１の位置を前記アクティブスタイラスの前記電極から受信するように構成されることを特徴とする、方法。
【請求項３６】
容量性タッチセンサに対するアクティブスタイラスの２次元位置の決定を可能にするように構成された容量性タッチセンサであって、前記アクティブスタイラスが、電極および能動構成要素を有し、当該容量性タッチセンサが、
行として配列された導線の第１の配列と、
列として配列された導線の第２の配列と、
導線の前記第２の配列に結合された送信機であって、前記アクティブスタイラスが受信モードで動作する間、前記マトリックス中の前記列のうちの少なくとも１つから前記アクティブスタイラスに第１の信号を送信するように構成され、前記送信した第１の信号が前記容量性タッチセンサの前記マトリックスの第１の軸に沿った前記アクティブスタイラスの第１の位置を示し、前記アクティブスタイラスが、前記送信された第１の信号に基づいて前記マトリックスの第１の軸に沿った前記第１の位置を求めて前記容量性タッチセンサに通信するように構成される、送信機と、
導線の前記第１の配列に結合された受信機であって、前記アクティブスタイラスが送信モードで動作する間、前記マトリックスの行のうちの１つまたは複数で前記アクティブスタイラスの前記電極から第２の信号を受信するように構成され、前記送信した第２の信号が前記マトリックスの第２の軸に沿った前記アクティブスタイラスの第２の位置を示す、受信機と
を含むように構成された導線の２次元マトリックスを備え、
当該容量性タッチセンサが、前記受信した第２の信号に基づいて、前記マトリックスの前記第２の軸に沿った前記第２の位置を求めるように構成され、
当該容量性タッチセンサが、前記第１の位置および前記第２の位置を処理して、当該容量性タッチセンサに対する前記アクティブスタイラスの２次元位置を求めるように構成され、
当該容量性タッチセンサが、前記アクティブスタイラス内に配置された前記電極と静電結合するように構成されることを特徴とする、容量性タッチセンサ。
【請求項３７】
容量性タッチセンサに対するアクティブスタイラスの２次元位置の決定を可能にするように構成された容量性タッチセンサであって、前記アクティブスタイラスが、電極および能動構成要素を有し、当該容量性タッチセンサが、
行として配列された導線の第１の配列と、
列として配列された導線の第２の配列と、
前記アクティブスタイラスが受信モードで動作する間、前記マトリックス中の前記列のうちの少なくとも１つから前記アクティブスタイラスに第１の信号を送信し、前記容量性タッチセンサの前記マトリックスの第１の軸に沿った前記アクティブスタイラスの第１の位置を示すと共に、前記アクティブスタイラスが送信モードで動作する間、前記マトリックスの前記行のうちの１つまたは複数で前記アクティブスタイラスの前記電極から第２の信号を受信し、前記マトリックスの第２の軸に沿った前記アクティブスタイラスの第２の位置を示す手段と
を含むように構成された導線の２次元マトリックスを備え、
前記アクティブスタイラスが、前記第２の位置を通信することなく、前記受信した第１の信号に基づいて、前記マトリックスの前記第１の軸に沿った前記第１の位置を求めて通信するように構成され、
当該容量性タッチセンサが、前記受信した第２の信号に基づいて、前記マトリックスの前記第２の軸に沿った前記第２の位置を求めるように構成され、
当該容量性タッチセンサが、前記通信した第１の位置および前記求めた第２の位置を処理して、前記アクティブスタイラスの２次元位置を求めるように構成され、
当該容量性タッチセンサが、前記アクティブスタイラス内に配置された前記電極と静電結合するように構成されることを特徴とする、容量性タッチセンサ。